(57)【要約】  【課題】  従来のゲーム体の構造を援用し、かつハンディタイプのゲーム機のような使いやすさが得られるゲームコントローラーを提供する。【解決手段】  電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニットと、音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットと、該制御ユニットとゲーム機本体とを接続して該制御ユニットが変更を行った電気信号を伝送する端子ケーブルと、該液晶表示ユニットとゲーム機本体とを接続してゲーム機本体が液晶表示ユニットに表示するＡＶ信号を伝送するAVケーブルなどによって構成する。【選択図】  図２
0003115083.tif 000002
【実用新案登録請求の範囲】
【請求項１】
電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニットと、
音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットと、
該制御ユニットとゲーム機本体とを接続して該制御ユニットが変更を行った電気信号を伝送する端子ケーブルと、
該液晶表示ユニットとゲーム機本体とを接続してゲーム機本体が液晶表示ユニットに表示するＡＶ信号を伝送する映像／音声一体型ケーブル（以下AVケーブルと称する）とを含むことを特徴とする表示装置を具えたゲームコントローラー。
【請求項２】
前記ゲームコントローラーがＡＶ信号を受信するＡＶソケットをさらに具えることを特徴とする請求項１に記載の表示装置を具えたゲームコントローラー。
【請求項３】
前記ゲームコントローラーがメモリカードを挿入するメモリカード挿入スロットをさらに具えることを特徴とする請求項１に記載の表示装置を具えたゲームコントローラー。
【請求項４】
前記ゲームコントローラーが外部のＡＣ電源に接続する電源ソケットをさらに具えることを特徴とする請求項１に記載の表示装置を具えたゲームコントローラー。
【請求項５】
前記ゲームコントローラーが音量調節手段をさらに具えることを特徴とする請求項１に記載の表示装置を具えたゲームコントローラー。
【請求項６】
電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニット１０と、
音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットと、
該制御ユニットが変更を行った電気信号を制御してゲーム機本体に無線方式で送信する無線発射回路と、
該ゲーム機本体が発信するＡＶ信号を受信する無線受信回路とを含むことを特徴とする表示装置を具えたゲームコントローラー。
【請求項７】
前記ゲーム機本体が無線発信手段と無線受信手段とを含むことを特徴とする請求項６に記載の表示装置を具えたゲームコントローラー。
【請求項８】
前記ゲームコントローラーがメモリカードを挿入するメモリカード挿入スロットをさらに具えることを特徴とする請求項６に記載の表示装置を具えたゲームコントローラー。
【請求項９】
前記ゲームコントローラーが外部のＡＣ電源に接続する電源ソケットをさらに具えることを特徴とする請求項６に記載の表示装置を具えたゲームコントローラー。
【請求項１０】
前記ゲームコントローラーが音量調節手段をさらに具えることを特徴とする請求項１に記載の表示装置を具えたゲームコントローラー。
【考案の詳細な説明】
【技術分野】
【０００１】
この考案はゲームコントローラーに関し、特に表示装置を具えるテレビゲーム用のゲームコントローラーに関する。
【背景技術】
【０００２】
従来のテレビゲームの使用態様を図１に開示する。図面に開示するようにテレビゲームを進行させる場合、ゲーム本体と、ゲームコントローラーと、テレビジョンとを電気的に接続し、例えば光ディスクに記録されたゲームソフトを使用する。係る形式でゲームを進行させる場合、該テレビジョンによってゲームが進行する家庭における音声と映像を提供し、該ゲームコントローラによってゲームソフトに設定されたターゲットにアクションを行わせたり、その動作に反応して制御を行ったりして、ゲームをクリアーするという目的を達成する。
【０００３】
テレビゲームを行う場合、テレビゲーム機本体をテレビジョンに近い位置に設置し、かつゲーム機本体から所定の範囲内でゲームコントローラーを操作してゲームを進行させる。この場合、端子ケーブルでゲームコントローラーとゲーム機本体とを接続し、ゲーム機本体とテレビジョンとをＡＶケーブルで接続して制御信号の伝送、ＡＶ信号の伝送をそれぞれ行う。
【０００４】
しかしながら、上述する方式では空間や場所が制限されるのみならず、テレビジョンとゲーム機本体とをＡＶコードで接続しなければならないため、ゲームを行う場所が限られる。特にゲームの進行中、ＡＶケーブルの脱落、テレビジョンの故障などの突発的な状況が発生した場合はゲームの進行に影響を与える。
【０００５】
また、ハンディタイプのゲーム機などの異なるタイプのゲーム機を購入することによって、異なるゲームの効果を得ることができるが、多くの種類のゲーム機器を購入することはユーザーの経済的負担につながる。よって、従来のゲーム機本体の構造を援用することができ、かつハンディタイプのゲーム機のような使いやすさを具えるゲーム機の開発が望まれている。
【考案の開示】
【考案が解決しようとする課題】
【０００６】
この考案は、テレビジョンとゲーム機本体とをＡＶケーブルで接続することによって発生する不便を改善し、従来のゲーム体の構造を援用し、かつハンディタイプのゲーム機のような使いやすさが得られるゲームコントローラーを提供することを課題とする。
【課題を解決するための手段】
【０００７】
そこで、本考案者は従来の技術に見られる欠点に鑑み鋭意研究を重ねた結果、電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニットと、音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットとを具え、かつ該制御ユニットとゲーム機本体とを接続して該制御ユニットが変更を行った電気信号を伝送する端子ケーブルと、該液晶表示ユニットとゲーム機本体とを接続してゲーム機本体が液晶表示ユニットに表示するＡＶ信号を伝送するＡＶケーブルとを含むゲームコントローラーの構造によって課題を解決できる点に着眼し、かかる知見に基づいて本考案を完成させた。
【０００８】
以下、この考案について具体的に説明する。
請求項１に記載する表示装置を具えたゲームコントローラーは、電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニットと、
音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットと、
該制御ユニットとゲーム機本体とを接続して該制御ユニットが変更を行った電気信号を伝送する端子ケーブルと、
該液晶表示ユニットとゲーム機本体とを接続してゲーム機本体が液晶表示ユニットに表示するＡＶ信号を伝送するＡＶケーブルとを含む。
【０００９】
請求項２に記載する表示装置を具えたゲームコントローラーは、請求項１におけるゲームコントローラーがＡＶ信号を受信するＡＶソケットをさらに具える。
【００１０】
請求項３に記載する表示装置を具えたゲームコントローラーは、請求項１におけるゲームコントローラーがメモリカードを挿入するメモリカード挿入スロットをさらに具える。
【００１１】
請求項４に記載する表示装置を具えたゲームコントローラーは、請求項１におけるゲームコントローラーが外部のＡＣ電源に接続する電源ソケットをさらに具える。
【００１２】
請求項５に記載する表示装置を具えたゲームコントローラーは、請求項１におけるゲームコントローラーが音量調節手段をさらに具える。
【００１３】
請求項６に記載する表示装置を具えたゲームコントローラーは、電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニット１０と、
音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットと、
該制御ユニットが変更を行った電気信号を制御してゲーム本体に無線方式で送信する無線発射回路と、
該ゲーム機本体が発信するＡＶ信号を受信する無線受信回路とを含む。
【００１４】
請求項７に記載する表示装置を具えたゲームコントローラーは、請求項６におけるゲーム機本体が無線発信手段と無線受信手段とを含む。
【００１５】
請求項８に記載する表示装置を具えたゲームコントローラーは、請求項６におけるゲームコントローラーがメモリカードを挿入するメモリカード挿入スロットをさらに具える。
【００１６】
請求項９に記載する表示装置を具えたゲームコントローラーは、請求項６におけるゲームコントローラーが外部のＡＣ電源に接続する電源ソケットをさらに具える。
【００１７】
請求項１０に記載する表示装置を具えたゲームコントローラーは、請求項６におけるゲームコントローラーが音量調節手段をさらに具える。
【考案の効果】
【００１８】
本考案のゲームコントローラーは、従来のゲーム体の構造を援用し、かつハンディタイプのゲーム機のような使いやすさが得られるため、異なるタイプのゲーム機を購入することによって発生するユーザーの経済的負担を解消するという効果を有する。
【考案を実施するための最良の形態】
【００１９】
この考案は、表示装置を具えるテレビゲーム用のゲームコントローラーを提供するものであって、電源と、シリアル通信ポートと、Ａ／Ｄコンバータと、押しボタン装置と、コントロールスティック装置などを含み、テレビゲームのコマンドを操作するとともに、ゲームの画面を表示する機能を具える該制御ユニットと、音声周波数を増幅するためのアンプ回路と、スピーカーと、音量調節手段と、電源回路と、バックライト回路と、表示パネルと、映像コンバート回路と、映像処理回路と、画面調整回路を含み、ゲームの画面を表示する液晶表示ユニットとを具え、かつ該制御ユニットとゲーム機本体とを接続して該制御ユニットが変更を行った電気信号を伝送する端子ケーブルと、該液晶表示ユニットとゲーム機本体とを接続してゲーム機本体が液晶表示ユニットに表示するＡＶ信号を伝送するＡＶケーブルなどによって構成し、従来のゲーム体の構造を援用し、かつハンディタイプのゲーム機のような使いやすさが得られるという目的を実現した。
係るゲームコントローラーの構成について、その構造と特徴を詳述するために具体的な実施例を挙げ、以下に説明する。
【実施例１】
【００２０】
図２にこの考案によるゲームコントローラーを開示する。図面に開示するように、この考案によるゲームコントローラー１は、端子ケーブル２と、映像／音声一体型ケーブル（以下AVケーブルと称する）４を介してゲーム機本体３に電気的に接続する。また、ゲームコントローラー１は制御ユニット１０と、液晶表示ユニット１１とを整合してなり、ゲームに係るコマンドを制御する機能と、ゲームの内容を画面に表示する機能とを兼ね具える。
【００２１】
図２、図３に開示するように、該制御ユニット１０は、電源１０１と、シリアル通信ポート１０２と、Ａ／Ｄコンバータ１０３と、押しボタン装置１０４と、コントロールスティック装置１０５などを含む。該押しボタン装置１０４はゲームコントローラー１の表面の適宜な位置に設けられる複数のファンクションキーを含み、機能を選択してゲームを操作するために供する。コントロールスティック装置１０５は、制御操作用のスティックを少なくとも一以上ゲームコントローラー１上に設け、ゲームの操作に供する。
【００２２】
液晶表示ユニット１１は、音声周波数を増幅するためのアンプ回路１１１と、スピーカー１１２と、音量調節手段１１３と、電源回路１１４と、バックライト回路１１５と、表示パネル１１６と、映像コンバート回路１１７と、映像処理回路１１８と、画面調整回路１１９を含む。該スピーカー１１２は、ゲームの音声を再生して音響効果を提供するものであって、ゲームコントローラー１の対向する両側面の適宜な位置に設ける。音量調整手段１１３は、必要に応じて随時音量を調整するためのものであって、ゲームコントローラー１の表面の適宜な位置に設ける。バックライト回路は補助光線を提供するためのものである。表示パネル１１６はゲームの画面を表示するためのものであって、ゲームコントローラー１の表面中央に設ける。
【００２３】
図４、図５に開示するように、ゲームコントローラー１は、表示パネル１１６を設ける面に垂直に接する面の両端に対応するファクションキーを設けて、ユーザーの左右の手による制御の操作に供する。また同一面の中央の位置にはゲーム機本体と接続してビデオ信号を受信するためのＡＶソケット１０６と、少なくとも１以上のメモリカードを挿入するメモリカードスロット１０７と、外部のＡＣ電源に接続して充電するための電源ソケット１０８とを設ける。
【００２４】
該ゲームコントローラー１は、実際に使用する場合、テレビゲームのゲーム機本体と端子ケーブル２及びＡＶケーブルで接続する。ゲームコントローラー１は表面に設けられた押しボタン装置１０４の任意のファンクションキーを押すと、端子ケーブル２を介して変更された電気信号がゲーム機本体３に伝送され、ゲーム機本体３ｂによって演算、判断を行い、制御の目的と効果を達成する。また、ゲーム機本体３から発生する音声と映像信号は、ＡＶコード４アンプ回路１１１と映像コンバート回路に送信され、電気信号を音声と映像に転換する。
【００２５】
ゲームを進行する過程において、ゲーム進行の全ての過程は映像パネル１１６に再生され、ユーザーに提供される。ゲームのコントローラー１の表面に設けた押しボタン１０４装置と、コントロールスティック装置１０５などは、ゲームソフトの内容に基づいて異なる機能を具えるように設定され、それぞれ異なるゲームにおいて、操作と制御に提供される。
【実施例２】
【００２６】
図６、図７に、この考案によるゲームコントローラーの第２の実施例を開示する。図面によれば、ゲームコントローラー１は、ゲーム機本体３と無線方式で信号の伝送を行う。即ち、第２の実施例は、ゲーム機本体３と、ゲームコントローラー１と、無線受信手段５と、無線発信手段６とによって構成する。
【００２７】
ゲーム機本体３には、入力制御端を設けて無線受信手段５を接続し、出力制御端と、ＡＶ制御出力制御端とを設けて無線発信手段６と、外部接続電源とを接続し、外部のＡＣ電源に接続する。
【００２８】
ゲームコントローラー１は、制御ユニット１２と、液晶表示ユニット１３とを整合してなり、ゲームに係るコマンドを制御する機能と、ゲームの内容を画面に表示する機能とを兼ね具える。
【００２９】
該制御ユニット１０は、無線発射回路１２１と、シリアル通信ポート１２２と、Ａ／Ｄコンバータ１２３と、押しボタン装置１２４と、コントロールスティック装置１２５などを含む。該無線発射回路１２１は、変更された電気信号である制御信号をゲーム機本体３の無線受信手段５に送信するためのものである。該押しボタン装置１２４はゲームコントローラー１の表面の適宜な位置に設けられる複数のファンクションキーを含み、機能を選択してゲームを操作するために供する。コントロールスティック装置１２５は、制御操作用のスティックを少なくとも一以上ゲームコントローラー１上に設け、ゲームの操作に供する。
【００３０】
液晶表示ユニット１３は、ＡＶ信号を受信する無線受信回路１３０と、音声周波数を増幅するためのアンプ回路１３１と、スピーカー１３２と、音量調節手段１３３と、電源回路１３４と、バックライト回路１３５と、表示パネル１３６と、映像コンバート回路１３７と、映像処理回路１３８と、画面調整回路１３９を含む。
【００３１】
該無線受信回路１３０はゲーム機本体３の無線発信手段６からのＡＶ信号を受信するものであって、該スピーカー１１２は、ゲームの音声を再生して音響効果を提供するものであって、ゲームコントローラー１の対向する両側面の適宜な位置に設ける。音量調節手段１１３は、必要に応じて随時音量を調整するためのものであって、ゲームコントローラー１の表面の適宜な位置に設ける。バックライト回路１３５は補助光線を提供するためのものである。表示パネル１３６はゲームの画面を表示するためのものであって、ゲームコントローラー１の表面中央に設ける。
【００３２】
ゲームコントローラー１は、表示パネル１１６を設ける面に垂直に接する面の両端に対応する押しボタン装置１２４を設けて、ユーザーの左右の手による制御の操作に供する。また同一面の中央の位置には無線発信回路１２１と、無線受信回路１３０を設けてゲーム機本体３に反応して制御信号、もしくはＡＶ信号の送受信を行う。さらに、少なくとも１以上のメモリカードを挿入するメモリカードスロット１０７と、外部のＡＣ電源に接続して充電するための電源ソケット１０８とを設ける。
【００３３】
該ゲームコントローラー１は、実際に使用する場合、テレビゲームのゲーム機本体と端子ケーブル２及びＡＶケーブルで接続する。ゲームコントローラー１は表面に設けられた押しボタン装置１０４の任意のファンクションキーを押すと、端子ケーブル２を介して変更された電気信号がゲーム機本体３に伝送され、ゲーム機本体３ｂによって演算、判断を行い、制御の目的と効果を達成する。また、ゲーム機本体３から発生する音声と映像信号は、ＡＶコード４アンプ回路１１１と映像コンバート回路に送信され、電気信号を音声と映像に転換する。
【００３４】
ゲームを進行する過程において、ゲーム進行の全ての過程は映像表示パネル１３６に再生され、ユーザーに提供される。ゲームのコントローラー１の表面に設けた押しボタン１２４装置と、コントロールスティック装置１０５などは、ゲームソフトの内容に基づいて異なる機能を具えるように設定され、それぞれ異なるゲームにおいて、操作と制御に提供される。
【００３５】
この考案によるゲーム機の構造は、従来のゲームコントローラーとテレビジョンとを一体に整合したものであって、液晶表示ユニット１１、１３を具えるゲームコントローラー１は、制御信号、ＡＶ信号の伝送をケーブル接続方式で行うか、もしくは無線送受信方式で行う。よって、ゲームを行う環境の状況、環境内に置かれた物品の影響、もしくはゲーム機本体を設置する位置などの制限を受けることなく、また外部からの突発的な干渉を受けることなくゲームを進行させることができる。無線受信方式の場合は、無線送受信の範囲内においてゲームコントローラー１を携帯して操作することができ、外部の干渉によってゲームが中断することがない。
【００３６】
また、ゲームコントローラー１は液晶表示ユニット１１、１３を整合してなるため、電力をゲーム機本体３から供給することは不可能である。よって、電源ソケット１０８を利用して外部のＡＣ電源に接続し、予め充電するようにすることができる。同様に、無線発信手段６についても充電手段を設けて予め充電するようにしてもよい。この場合、電力不足によってゲームの進行が中断することを防ぐことができる。
【００３７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３８】
【図１】従来のテレビゲームのゲーム機本体とゲームコントローラーの使用態様を示した説明図である。
【図２】この考案によるゲームゲームコントローラの使用態様を示した説明図である（実施例１）。
【図３】図この考案によるゲームコントローラーの回路構造を示したブロック図である。
【図４】この考案によるゲームゲームコントローラの外観を示した斜視図である。
【図５】この考案によるゲームゲームコントローラの他の角度からの外観を示した斜視図である。
【図６】この考案によるゲームゲームコントローラの他の使用態様を示した説明図である（実施例２）。
【図７】この考案によるゲームコントローラーの他の実施形態による回路構造を示したブロック図である。
【符号の説明】
【００３９】
１ ゲームコントローラー
１０ 制御ユニット
１０１ 電源
１０２ シリアル通信ポート
１０３ Ａ／Ｄコンバータ
１０４ 押しボタン装置
１０５ コントロールスティック装置
１０６ ＡＶソケット
１０７ メモリカードスロット
１０８ 電源ソケット
１１ 液晶表示ユニット
１１１ アンプ回路
１１２ スピーカー
１１３ 音量調節手段
１１４ 電源回路
１１５ バックライト回路
１１６ 表示パネル
１１７ 映像コンバート回路
１１８ 映像処理回路
１１９ 画面調整回路
１２ 制御ユニット
１２１ 無線発射回路
１２２ シリアル通信ポート
１２３ Ａ／Ｄコンバータ
１２４ 押しボタン装置
１２５ コントロールスティック装置
１３ 液晶表示ユニット
１３０ 無線受信回路
１３１ アンプ回路
１３２ スピーカー
１３３ 音量調節手段
１３４ 電源回路
１３５ バックライト回路
１３６ 表示パネル
１３７ 映像コンバート回路
１３８ 映像処理回路
１３９ 画面調整回路
２ 端子ケーブル、
３ ゲーム機本体
４ 映像／音声一体型ケーブル
５ 無線受信手段
６ 無線発信手段
【図１】
0003115083.tif 000003
【図２】
0003115083.tif 000004
【図３】
0003115083.tif 000005
【図４】
0003115083.tif 000006
【図５】
0003115083.tif 000007
【図６】
0003115083.tif 000008
【図７】
0003115083.tif 000009